(57)【要約】【課題】光学ファインダーを着脱可能であって、さらにズーム機能を備えた撮像装置において、光学ファインダーによって被写体を視認しているときであっても、ズーム操作によって撮影される画像に生じる画角の変化を知ることができる撮像装置を提供する。【解決手段】表示手段１１４の使用が選択されている場合は、表示手段１１４に撮像手段１０６によって生成された画像データに基づく画像を表示させ、光学ファインダー１２０の使用が選択されている場合は、指示手段１１３によって光学系１００の焦点距離の変更が指示されている間及びその後の所定の期間に限って、表示手段１１４に撮像手段１０６によって生成された画像データに基づく画像を低輝度で表示させる、制御手段１１０と、を備える、ことを特徴とする。【選択図】図２
2011071570.tif 000002
【特許請求の範囲】
【請求項１】
被写体光を集光する光学系と、
前記光学系によって集光された被写体光に基づく画像データを生成する撮像手段と、
前記撮像手段によって生成された画像データに基づく画像を表示可能な表示手段と、
光学ファインダーを着脱可能な着脱手段と、
前記表示手段と前記光学ファインダーのいずれを使用するかを選択する選択手段と、
前記選択手段によって、前記表示手段の使用が選択されている場合は、前記表示手段に前記撮像手段によって生成された画像データに基づく画像を表示させ、前記選択手段によって前記光学ファインダーの使用が選択されている場合は、前記表示手段に前記撮像手段によって生成された画像データに基づく画像を低輝度で表示させる、制御手段と、
を備える、
ことを特徴とする撮像装置。
【請求項２】
被写体光を集光する光学系と、
前記光学系によって集光された被写体光に基づく画像データを生成する撮像手段と、
前記撮像手段によって生成された画像データに基づく画像を表示可能な表示手段と、
光学ファインダーと、
前記表示手段と前記光学ファインダーのいずれを使用するかを選択する選択手段と、
前記選択手段によって、前記表示手段の使用が選択されている場合は、前記表示手段に前記撮像手段によって生成された画像データに基づく画像を表示させ、前記選択手段によって前記光学ファインダーの使用が選択されている場合は、前記表示手段に前記撮像手段によって生成された画像データに基づく画像を低輝度で表示させる、制御手段と、
を備える、
ことを特徴とする撮像装置。
【請求項３】
前記光学系の画角の変更を指示する指示手段を、
さらに備え、
前記制御手段は、
前記選択手段によって前記光学ファインダーの使用が選択されている場合は、前記指示手段によって前記光学系の画角の変更が指示されている間及びその後の所定の期間に、前記表示手段に前記撮像手段によって生成された画像データに基づく画像を低輝度で表示させる、
ことを特徴とする請求項１または請求項２に記載の撮像装置。
【請求項４】
前記光学系の画角の変更を指示する指示手段を、
さらに備え、
前記制御手段は、
前記選択手段によって前記光学ファインダーの使用が選択されている場合は、前記指示手段によって前記光学系の画角の変更が指示されてから所定の操作が行われるまでの期間に、前記表示手段に前記撮像手段によって生成された画像データに基づく画像を低輝度で表示させる、
ことを特徴とする請求項１または請求項２に記載の撮像装置。
【請求項５】
撮影動作を指示するレリーズボタンを、
さらに備え、
前記所定の操作は、
前記レリーズボタンの押下操作である、
ことを特徴とする請求項４に記載の撮像装置。
【請求項６】
前記制御手段は、
前記選択手段によって前記光学ファインダーの使用が選択されている場合は、前記光学系の画角が前記光学ファインダーの画角と相違するときに、前記表示手段に前記撮像手段によって生成された画像データに基づく画像を低輝度で表示させる、
ことを特徴とする請求項１または請求項２に記載の撮像装置。
【請求項７】
前記選択手段は、
前記着脱手段への前記光学ファインダーの装着を検出可能であって、前記着脱手段に前記光学ファインダーが装着されていない場合は、前記表示手段の使用を選択し、前記着脱手段に前記光学ファインダーが装着されている場合は、前記光学ファインダーの使用を選択する、
ことを特徴とする請求項１または請求項３から６のいずれかに記載の撮像装置。
【発明の詳細な説明】
【技術分野】
【０００１】
本発明は、デジタルスチルカメラ、デジタルビデオカメラ、カメラ付き携帯電話等の撮像装置に関し、特には、光学ファインダーを備えた撮像装置及び外付けの光学ファインダーを着脱可能な撮像装置に関する。
【背景技術】
【０００２】
特許文献１は、光学ファインダーと液晶モニターを備えるデジタルスチルカメラを開示する。このデジタルスチルカメラにおいて、使用者は、撮影を行う際に、光学ファインダーと液晶モニターのいずれを用いて被写体を視認するかを選択することができる。光学ファインダーが選択された場合には、このデジタルスチルカメラは、液晶モニターを非表示にする。これによって、消費電力を抑えることができる。
【先行技術文献】
【特許文献】
【０００３】
【特許文献１】特開２００３−１２５２３９号公報
【発明の概要】
【発明が解決しようとする課題】
【０００４】
しかしながら、デジタルスチルカメラがズーム機能を備える場合には、デジタルスチルカメラの画角と光学ファインダーの画角が一致しなくなる。デジタルスチルカメラでズーム操作を行なうと、実際に撮影される画像の画角は変化するが、光学ファインダーによって視認される画角は変化しないからである。特許文献１に記載のデジタルスチルカメラでは、光学ファインダーによって被写体を視認することが選択されたときに液晶モニターは非表示になるので、実際に撮影される画像の画角を確認することができないという課題がある。一方で、光学ファインダーによって被写体を視認することが選択されたときに液晶モニターにも被写体を表示すると、消費電力を抑えることができないばかりか、光学ファインダーでの被写体の視認に集中できず、特に暗所では液晶モニターの明るさが光学ファインダーでの被写体の視認の妨げになるという課題がある。
【０００５】
本発明は、前記課題を解決し、光学ファインダーを備えるか、光学ファインダーを着脱可能であって、さらにズーム機能を備えた撮像装置において、光学ファインダーによって被写体を視認しているときであっても、ズーム操作によって撮影される画像に生じる画角の変化を知ることができる撮像装置を提供することを目的とする。
【課題を解決するための手段】
【０００６】
前記課題を解決するために、本発明の撮像装置は、焦点距離を変更可能な光学系と、前記光学系の焦点距離の変更を指示する指示手段と、前記光学系によって集光された被写体の画像データを生成する撮像手段と、前記撮像手段によって生成された画像データに基づく画像を表示可能な表示手段と、光学ファインダーを着脱可能な着脱手段と、前記表示手段と前記光学ファインダーのいずれを使用するかを選択する選択手段と、前記選択手段によって、前記表示手段の使用が選択されている場合は、前記表示手段に前記撮像手段によって生成された画像データに基づく画像を表示させ、前記選択手段によって前記光学ファインダーの使用が選択されている場合は、前記指示手段によって前記光学系の焦点距離の変更が指示されている間及びその後の所定の期間に限って、前記表示手段に前記撮像手段によって生成された画像データに基づく画像を低輝度で表示させる、制御手段と、を備える、ことを特徴とする。
【発明の効果】
【０００７】
以上のように、本発明によれば、指示手段によって光学系の焦点距離の変更が指示されている間に限って、表示手段に撮像手段によって生成された画像データに基づく画像を表示させるので、光学ファインダーによって被写体を視認しているときであっても、ズーム操作によって撮影される画像に生じる画角の変化を知ることができるという効果を奏する。
【図面の簡単な説明】
【０００８】
【図１】実施の形態１に係るデジタルスチルカメラの斜視図
【図２】実施の形態１に係るデジタルスチルカメラの構成を示すブロック図
【図３】実施の形態１に係るデジタルスチルカメラの背面図
【図４】実施の形態１に係るデジタルスチルカメラの動作を説明するためのフローチャート
【図５】液晶モニターに表示されるメニュー画面の一例を示す図
【図６】液晶モニターに表示される画像の一例を示す図
【図７】液晶モニターに表示される画像の一例を示す図
【図８】実施の形態２に係るデジタルスチルカメラの構成を示すブロック図
【図９】実施の形態２に係るデジタルスチルカメラの動作を説明するためのフローチャート
【図１０】実施の形態３に係るデジタルスチルカメラの液晶モニター表示を説明する図
【図１１】実施の形態３に係るデジタルスチルカメラの液晶モニター表示を説明する図
【発明を実施するための形態】
【０００９】
（実施の形態１）
以下、本発明をデジタルスチルカメラに適用した場合の実施の形態１について、図面を参照しながら説明する。
（１．全体構成）
実施の形態１に係るデジタルスチルカメラの全体構成について、図１を用いて説明する。図１は、実施の形態１に係るデジタルスチルカメラの斜視図である。デジタルスチルカメラ２００は、上面にホットシュー１１９を備えている。ホットシュー１１９には、光学ファインダー１２０や外付けのフラッシュ等のアクセサリーを着脱することができる。光学ファインダー１２０等のアクセサリーをホットシュー１１９に対してスライドさせて嵌め込むことによって、光学ファインダー１２０等のアクセサリーをデジタルスチルカメラ２００に対して保持させることができる。ホットシュー１１９は、樹脂や金属等によって構成される。また、光学ファインダー１２０は、複数のレンズを含む。光学ファインダー１２０を覗くことによって、撮影しようとする画像の構図を決めることができる。デジタルスチルカメラ２００において、撮影の際に光学ファインダー１２０によって被写体を視認するか、デジタルスチルカメラ２００に備えられた液晶モニターによって被写体を視認するかを選択することができる。
（２．電気的構成）
実施の形態１に係るデジタルスチルカメラの電気的構成について、図２を用いて説明する。図２は、実施の形態１に係るデジタルスチルカメラの構成を示すブロック図である。デジタルスチルカメラ２００は、光学系１００によって集光された被写体像をＣＣＤイメージセンサー１０６によって撮像する。ＣＣＤイメージセンサー１０６によって生成された画像データは、画像処理部１０８によって各種処理が施され、メモリーカード１１２に格納される。また、メモリーカード１１２に格納された画像データは、液晶モニター１１４によって表示可能である。以下、デジタルスチルカメラ２００の構成を詳細に説明する。
【００１０】
対物レンズ１０１は、最も被写体側に配置されたレンズである。ズームレンズ１０２は、光学系１００の光軸に沿って移動することによって、被写体像を拡大または縮小することができる。すなわち、撮影される画像の画角が変化するのである。フォーカスレンズ１０３は、光学系１００の光軸に沿って移動することによって、被写体像の合焦状態を調整する。このように、実施の形態１に係るデジタルスチルカメラ２００において、光学系１００は、対物レンズ１０１とフォーカスレンズ１０３とズームレンズ１０２を備える構成とした。
【００１１】
ズームモーター１０４は、ズームレンズ１０２を光学系１００の光軸に沿って移動させる。ズームモーター１０４は、カム等の機構を介してズームレンズ１０２を移動させる。ズームモーター１０４は、ステッピングモーター、ＤＣモーター、リニアモーター等である。フォーカスモーター１０５は、フォーカスレンズ１０３を光学系１００の光軸に沿って移動させる。フォーカスモーター１０５は、スクリューとラック等の機構を介してフォーカスレンズ１０３を移動させる。フォーカスモーター１０５は、ステッピングモーター、ＤＣモーター、リニアモーター等である。
【００１２】
ＣＣＤイメージセンサー１０６は、光学系１００によって集光された被写体像を撮像して、画像データを生成する。タイミングジェネレーター１２１は、ＣＣＤイメージセンサー１０６を駆動するためのタイミング信号を生成する。ＣＣＤイメージセンサー１０６は、タイミングジェネレーター１２１によって生成されたタイミング信号にしたがって、露光、転送、電子シャッター等の各種の動作を行う。ＡＤコンバーター１０７は、ＣＣＤイメージセンサー１０６によって生成された画像データをデジタル信号に変換する。
【００１３】
画像処理部１０８は、ＡＤコンバーター１０７によってデジタル信号に変換された画像データに対して各種処理を施し、メモリーカード１１２に格納するための画像データを生成したり、液晶モニター１１４に表示するための画像データを生成したりする。画像処理部１０８は、専用ＬＳＩ、ＤＳＰ、マイコン等によって実現することができる。具体的には、画像処理部１０８は、画像データの圧縮等を行うことによって、メモリーカード１１２に格納するための画像データを生成する。また、画像処理部１０８は、ＡＤコンバーター１０７によってデジタル信号に変換された画像データに対して電子的な縮小処理等を行うことによって、液晶モニター１１４に連続的に表示させる画像データを生成する。液晶モニター１１４に連続的に表示される画像を視認することによって、撮影のための構図を決定することができる。また、画像処理部１０８は、メモリーカード１１２に格納されている画像データに対して電子的な縮小処理等を行うことによって、液晶モニター１１４に再生表示させるための画像データを生成する。
【００１４】
コントローラー１１０は、デジタルスチルカメラ２００の全体を制御する制御手段である。例えば、コントローラー１１０は、ＣＣＤイメージセンサー１０６によって生成された画像データが表す画像の合焦状態を検出する。また、コントローラー１１０は、フラッシュ１２２の充電状態を検出する。なお、合焦状態の検出方法（コントラスト検出方式や位相差検出方式）やフラッシュ１２２の充電状態の検出方法は、従来技術であるので説明を省略する。また、コントローラー１１０は、選択に応じて、液晶モニター１１４にＣＣＤイメージセンサー１０６によって生成された画像データを表示するか否かを制御する。すなわち、コントローラー１１０は、液晶モニター１１４と光学ファインダー１２０のいずれを使用するかを選択する。コントローラー１１０は、マイコン等によって実現することができる。
【００１５】
バッファーメモリー１０９は、画像処理部１０８及びコントローラー１１０のワークメモリーとして機能する。バッファーメモリー１０９は、例えばＳＤＲＡＭ等の半導体メモリーによって実現することができる。
【００１６】
カードスロット１１１には、メモリーカード１１２を着脱することができる。カードスロット１１１は、機械的及び電気的にメモリーカード１１２と接続される。メモリーカード１１２は、フラッシュメモリー等の不揮発性メモリーを内部に備え、画像データを格納することができる。
【００１７】
液晶モニター１１４は、ＣＣＤイメージセンサー１０６によって生成された画像データに基づく画像やメモリーカード１１２から読み出された画像データに基づく画像を表示することができる。また、液晶モニター１１４は、デジタルスチルカメラ２００の各種設定情報やデジタルスチルカメラ２００の状態を示す情報等を表示することができる。液晶モニター１１４がＣＣＤイメージセンサー１０６によって生成された画像データに基づく画像を連続的に表示しているときは、液晶モニター１１４を視認することによって、撮影のための構図を決定することができる。また、液晶モニター１１４がＣＣＤイメージセンサー１０６によって生成された画像データに基づく画像を連続的に表示しているときは、ズームレンズ１０２が光学系１００の光軸に沿って移動することによる画角の変化がＣＣＤイメージセンサー１０６によって生成された画像データに反映されているので、液晶モニター１１４を視認することによって画角の変化を確認することができる。
【００１８】
操作部材１１３は、各種操作手段を総称した構成要素である。操作部材１１３は、使用者の指示を受け付け、その指示をコントローラー１１０に伝える。撮影のために被写体を視認する際に、液晶モニター１１４と光学ファインダー１２０のいずれを使用するかも操作部材１１３によって選択される。
【００１９】
フラッシュ１２２は、被写体に照射する光を発光する。フラッシュ１２２は、コンデンサーに充電された電荷を放電することにより、フラッシュ１２２内部に封入されているキセノンガスを発光させる。
（３．背面構成）
実施の形態１に係るデジタルスチルカメラの背面構成について図３を用いて説明する。図３は、デジタルスチルカメラ２００の背面図である。デジタルスチルカメラ２００は、上面にレリーズボタン１１７、ズームレバー１２３、モードダイヤル１１８、ホットシュー１１９を有する。
【００２０】
レリーズボタン１１７は、押下操作を受け付ける。押下操作には、半押し操作と全押し操作がある。コントローラー１１０は、レリーズボタン１１７が半押し操作されると、オートフォーカス制御を開始する。また、デジタルスチルカメラ２００は、レリーズボタン１１７が全押し操作されると、被写体像の撮影を行う。
【００２１】
ズームレバー１２３は、レリーズボタン１１７の周りに回転可能に配置されている。コントローラー１１０は、ズームレバー１２３が回転操作されると、ズーム制御を開始する。すなわち、ズームレバー１２３の回転操作の向きに応じて、ズームレンズ１０２を光学系１００の光軸に沿っていずれかの向きに移動させる。ズームレンズ１０２の移動は、ズームレバー１２３が回転操作を受け付けている間、継続される。これによって、撮影される画像の画角が変化する。
【００２２】
モードダイヤル１１８は、回転操作を受け付ける。モードダイヤル１１８には、目盛りが設けられており、各目盛りにはデジタルスチルカメラ２００の動作モードが割り当てられている。デジタルスチルカメラ２００の動作モードとは、例えば、再生モードや撮影モード等である。コントローラー１１０は、モードダイヤル１１８の回転操作に応じて、モードダイヤル１１８が指定する動作モードでデジタルスチルカメラ２００を動作させる。
【００２３】
光学ファインダー１２０をスライドさせてホットシュー１１９に嵌め込むことにより、ホットシュー１１９に対して光学ファインダー１２０を保持させることができる。また、ホットシュー１１９に対して保持させている光学ファインダー１２０を、嵌め込むときと反対方向にスライドさせることにより、光学ファインダー１２０をホットシュー１１９から取り外すことができる。なお、実施の形態１に係るデジタルスチルカメラ２００においては、ホットシュー１１９に光学ファインダー１２０を保持させることとした。しかし、必ずしもこのような構成とする必要はない。光学ファインダーを保持することができる保持部材であれば、必ずしもホットシューである必要はない。
【００２４】
デジタルスチルカメラ２００は、背面に十字キー１１５、液晶モニター１１４を備える。液晶モニター１１４は、モードダイヤル１１８によって指定された動作モードに応じて、ＣＣＤイメージセンサー１０６によって生成された画像データに基づく画像を連続的に表示したり、メモリーカード１１２に格納された画像データに基づく画像やメニュー画面等を表示したりすることができる。十字キー１１５は、四方向ボタン及び中央ボタンの五つのボタンの押下操作を受け付ける。コントローラー１１０は、十字キー１１５が押下操作を受け付けるのに応じて、液晶モニター１１４の表示を切り替える等の制御を行う。
【００２５】
なお、実施の形態１に係るデジタルスチルカメラ２００では、撮像手段としてＣＣＤイメージセンサー１０６を採用したが、ＣＭＯＳイメージセンサー等のその他の撮像手段であってもよい。同じく、実施の形態１に係るデジタルスチルカメラ２００では、表示手段として液晶モニター１１４を採用したが、有機ＥＬディスプレイ等のその他の表示手段であってもよい。
（４．動作）
実施の形態１に係るデジタルスチルカメラの動作について、図４、図５を用いて説明する。図４は、実施の形態１に係るデジタルスチルカメラの動作を説明するためのフローチャートである。図５は、液晶モニターに表示されるメニュー画面の一例を示す図である。
【００２６】
十字キー１１５を操作することによって、液晶モニター１１４にメニュー画面を表示させることができる。図５に示すメニュー画面では、十字キー１１５を操作することによって、液晶モニター１１４に表示する画像のアスペクト比、レリーズボタンの全押し操作によってメモリーカード１１２に格納する画像データの画素数、光学ファインダー１２０の使用の有無（図５ではＯＶＦ：Ｏｐｔｉｃａｌ  Ｖｉｅｗ  Ｆｉｎｄｅｒと記載）、レリーズボタン１１７の全押し操作中に連続して画像データを得る連写を行なうか否か、レリーズボタン１１７の一回の全押し操作によって露出の異なる複数の画像データを得るオートブラケットを行なうか否かを設定することができる。図５は、光学ファインダー１２０の使用をする設定（図５ではＯＮと記載）を行った状態を示している。
【００２７】
引き続き、図４に示すフローチャートについて説明する。図５に示すメニュー画面において、光学ファインダー１２０を使用するか否かの設定を行う（Ｓ３００）。コントローラー１１０は、光学ファインダー１２０の使用の有無を検出する（Ｓ３０１）。光学ファインダー１２０の使用をしない設定が行なわれた場合（Ｓ３０１でＮｏ）は、コントローラー１１０は、ＣＣＤイメージセンサー１０６によって生成された画像データに基づく画像を順次液晶モニター１１４に表示させる（Ｓ３０２）。液晶モニター１１４には、例えば、図６に示すような画像が表示される。図６は、液晶モニターに表示される画像の一例を示す図である。
【００２８】
一方、光学ファインダー１２０の使用をする設定が行われた場合（Ｓ３０１でＹｅｓ）は、コントローラー１１０は、ＣＣＤイメージセンサー１０６によって生成された画像データに基づく画像を液晶モニター１１４に表示させない（Ｓ３０３）。すなわち、液晶モニター１１４は、非表示となる。したがって、消費電力を抑えることができるとともに、光学ファインダー１２０での被写体の視認に集中できる。
【００２９】
液晶モニター１１４を非表示とすると、コントローラー１１０は、ズームレバー１２３が回転操作されているか否かを検出する（Ｓ３０４）。ズームレバー１２３が回転操作されていない場合（Ｓ３０４でＮｏ）は、液晶モニター１１４を継続して非表示とする。
【００３０】
ズームレバー１２３が回転操作されている場合（Ｓ３０４でＹｅｓ）は、コントローラー１１０は、ＣＣＤイメージセンサー１０６によって生成された画像データに基づく画像を液晶モニター１１４に低輝度で表示させる（Ｓ３０５）。そのため、コントローラー１１０は、液晶モニター１１４に備えられたバックライトの輝度を光学ファインダー１２０の使用をしない設定が行なわれた場合に比べて低く設定する。あるいは、画像処理部１０８は、ＣＣＤイメージセンサー１０６によって生成された画像データに含まれる高輝度部分について、輝度を低下させる処理を行なう。あるいは、両者を組み合わせてもよい。
【００３１】
光学ファインダー１２０は、ＣＣＤイメージセンサー１０６によって生成された画像データに基づく画像を表示するわけではない。したがって、光学ファインダー１２０によって視認することができる画像の画角は常に同一である。そこで、実施の形態１に係るデジタルスチルカメラ２００は、光学ファインダー１２０を用いて被写体を視認する設定とした場合においても、ズーム操作がされた場合には、液晶モニター１１４にＣＣＤイメージセンサー１０６で生成された画像データに基づく画像を低輝度で表示することとした。これにより、デジタルスチルカメラ２００では、光学ファインダー１２０を使用する際にズーム操作を行う場合であっても、撮影される画像の画角を確認することができる。例えば、図６に示すような画像が光学ファインダー１２０で視認されているときに、ズーム操作が行なわれると、図７に示すような画像が液晶モニター１１４に表示される。図７は、液晶モニターに表示される画像の一例を示す図である。図７において、点線は、輝度が下げられていることを模式的に示している。
【００３２】
液晶モニター１１４にＣＣＤイメージセンサー１０６で生成された画像データに基づく画像が低輝度で表示されている場合には、コントローラー１１０は、ズームレバー１２３の回転操作が終了したか否かを検出する（Ｓ３０６）。ズームレバー１２３の回転操作が終了していない場合（Ｓ３０６でＮｏ）は、液晶モニター１１４は、ＣＣＤイメージセンサー１０６で生成された画像データに基づく画像を継続して低輝度で表示する。
【００３３】
ズームレバー１２３の回転操作が終了した場合（Ｓ３０６でＹｅｓ）は、ズームレバー１２３の回転操作が終了した後、所定の期間（例えば１秒〜３秒）経過後、液晶モニター１１４を再度非表示とする（Ｓ３０３）。
【００３４】
なお、実施の形態１に係るデジタルスチルカメラ２００において、撮影の際の被写体の視認方法として光学ファインダー１２０が選択された場合であっても、液晶モニター１１４は、ズーム操作を行なっている間及びその後の所定の期間においては、ＣＣＤイメージセンサー１０６によって生成された画像データに基づく画像を低輝度で表示する構成とした。しかし、必ずしもこのような構成とする必要はない。撮影の際の被写体の視認方法として光学ファインダー１２０が選択された場合において、液晶モニター１１４は、ズームレンズ１０２が広角端または光学ファインダー１２０の画角と同様の画角となる位置にある場合を除き、ＣＣＤイメージセンサー１０６によって生成された画像データに基づく画像を低輝度で表示する構成としてもよい。このような構成により、ズーム操作が行われており、撮影される画像の画角を確認する必要がある場合には、液晶モニター１１４は、常に撮影される画像を低輝度で表示できる。その結果、意図しない画角の画像を撮影するような事態をなくすことができる。なお、視認方法として光学ファインダー１２０が選択された場合は、常にＣＣＤイメージセンサー１０６によって生成された画像データに基づく画像を低輝度で表示する構成としてもよい。
【００３５】
また、実施の形態１に係るデジタルスチルカメラ２００において、撮影の際の被写体の視認方法として光学ファインダー１２０が選択された場合に、ズーム操作が終了した後、所定の期間経過後、液晶モニター１１４を再度非表示とすることとした。しかし、必ずしもこのような構成とする必要はない。ズーム操作が終了した後、次にレリーズボタン１１７を半押し操作されるまで、液晶モニター１１４は、ＣＣＤイメージセンサー１０６によって生成された画像データに基づく画像を低輝度で表示することとし、レリーズボタン１１７が半押し操作された時点で、非表示とすることとしてもよい。レリーズボタン１１７が半押し操作された時点で、使用者は、既に構図を決めていると考えられるからである。
【００３６】
また、液晶モニター１１４が非表示の場合であっても、使用者が十字キー１１５を操作した場合には、液晶モニター１１４は、メニュー画面を表示する。これにより、光学ファインダー１２０を用いて被写体を視認するように選択されている場合でも、デジタルスチルカメラ２００の各種設定をメニュー画面から変更することができる。
（実施の形態２）
以下、本発明をデジタルスチルカメラに適用した場合の実施の形態２について、図面を用いて説明する。特に説明をしない部分については、実施の形態１に係るデジタルスチルカメラと同様の構成をとる。実施の形態２に係るデジタルスチルカメラにおいては、実施の形態１に係るデジタルスチルカメラとは異なり、コントローラー１１０が、光学ファインダー１２０の着脱を認識することができる。
（１．電気的構成）
実施の形態２に係るデジタルスチルカメラの電気的構成について図８を用いて説明する。図８は、実施の形態２にかかるデジタルスチルカメラの電気的構成について説明するブロック図である。実施の形態２に係るデジタルスチルカメラは、実施の形態１に係るデジタルスチルカメラと異なり、ホットシュー１１９がコントローラー１１０に対して電気的に接続されている。また、光学ファインダー１２０（図８ではＯＶＦ：Ｏｐｔｉｃａｌ  Ｖｉｅｗ  Ｆｉｎｄｅｒと記載）は、ホットシュー１１９に対して電気的に接続されている。このような構成により、コントローラー１１０は、ホットシュー１１９に対する光学ファインダー１２０の着脱を認識することができる。
（２．動作）
実施の形態２に係るデジタルスチルカメラの動作について図９を用いて説明する。図９は、実施の形態２に係るデジタルスチルカメラの動作を説明するフローチャートである。
【００３７】
モードダイヤル１１８の回転操作によって撮影モードが指定されると、ＣＣＤイメージセンサー１０６によって継続的な画像データの生成が開始される（Ｓ７００）。撮影モードが指定されると、コントローラー１１０は、光学ファインダー１２０が装着されているか否かを認識する（Ｓ７０１）。光学ファインダー１２０が装着されていない場合（Ｓ７０１でＮｏ）は、コントローラー１１０は、ＣＣＤイメージセンサー１０６によって生成された画像データに基づく画像を順次液晶モニター１１４に表示させる（Ｓ７０２）。
【００３８】
一方、光学ファインダー１２０が装着されている場合（Ｓ７０１でＹｅｓ）は、コントローラー１１０は、ＣＣＤイメージセンサー１０６によって生成された画像データに基づく画像を液晶モニター１１４に表示させない（Ｓ７０３）。すなわち、液晶モニター１１４は、非表示となる。したがって、消費電力を抑えることができるとともに、光学ファインダー１２０での被写体の視認に集中できる。
【００３９】
実施の形態２に係るデジタルスチルカメラの以後の動作は、実施の形態１に係るデジタルスチルカメラと同様である。
【００４０】
このように、実施の形態２に係るデジタルスチルカメラ５００は、光学ファインダー１２０の着脱を自動的に認識し、液晶モニター１１４に被写体の画像を表示させるか否かを自動的に選択する。これにより、デジタルスチルカメラ５００に光学ファインダー１２０を装着した際に、わざわざ光学ファインダー１２０を使用する旨の設定を行う必要がなくなる。
（３．実施の形態３）
実施の形態１及び実施の形態２に係るデジタルスチルカメラにおいては、ズーム操作が行われたときに、被写体の画像を液晶モニター１１４に低輝度で表示することとした。実施の形態３に係るデジタルスチルカメラでは、ズーム操作が行われたときに、撮影される画像の画角を示す枠を液晶モニターに表示する。
【００４１】
図１０は、実施の形態３に係るデジタルスチルカメラの液晶モニター表示を説明する図である。光学ファインダーを使用する旨の設定が行われている。図１０（ａ）は、ズームレンズが広角端の位置にある状態である。デジタルスチルカメラの画角と光学ファインダーの画角は同様である。液晶モニター１１４は、非表示である。
【００４２】
図１０（ｂ）は、ズーム操作によってズームレンズが望遠側に移動した位置にある状態である。撮影される画像の画角を枠６０１で示している。光学ファインダーで視認される画角は液晶モニターの全面に相当するが、撮影される画像の画角は、それよりも小さいことを相対的に理解することができる。このとき、液晶モニターの枠６０１以外は黒とすることが使用者に眩しさ与えることがなく好ましい。
【００４３】
図１１は、実施の形態３に係るデジタルスチルカメラの液晶モニター表示を説明するもう一つの図である。光学ファインダーを使用する旨の設定が行われている。図１０との相違は、ズームレンズが広角端にあるときにおいても、デジタルスチルカメラの画角と光学ファインダーの画角が同様ではない点である。光学ファインダーの画角は、デジタルスチルカメラの画角よりも狭い。図１１（ａ）は、ズームレンズが広角端の位置にある状態である。デジタルスチルカメラの画角は、液晶モニターの全面に相当する。一方、光学ファインダーの画角はこれより狭い。光学ファインダーで視認される画角を枠６０２で示している。
【００４４】
図１１（ｂ）は、ズーム操作によってズームレンズが望遠側に移動した位置にある状態である。撮影される画像の画角を枠６０１で示している。光学ファインダーで視認される画角は枠６０２に相当するが、撮影される画像の画角は、それよりも小さいことを相対的に理解することができる。
【００４５】
なお、枠６０１、６０２は、ズーム操作が行われたときに液晶モニターに表示してもよいし、光学ファインダーを使用する旨の設定が行われている場合は、常に液晶モニターに表示してもよい。また、デジタルスチルカメラの画角と光学ファインダーの画角が相違するときに表示してもよい。
（４．その他）
実施の形態１、実施の形態２及び実施の形態３に係るデジタルスチルカメラは、光学ファインダー１２０を着脱することができるホットシュー１１９を備える。しかし、光学ファインダーを本体に備えたデジタルスチルカメラも存在する。本発明は、光学ファインダーを本体に備えたデジタルスチルカメラにも適用することができる。
【産業上の利用可能性】
【００４６】
本発明によれば、光学ファインダーによって被写体を視認しているときであっても、ズーム操作によって撮影される画像に生じる画角の変化を知ることができるので、デジタルスチルカメラ、デジタルビデオカメラ、カメラ付き携帯電話等の撮像装置に適用して有用である。
【符号の説明】
【００４７】
１００    光学系
１０１    対物レンズ
１０２    ズームレンズ
１０３    フォーカスレンズ
１０４    ズームモーター
１０５    フォーカスモーター
１０６    ＣＣＤイメージセンサー
１０７    ＡＤコンバーター
１０８    画像処理部
１０９    バッファーメモリー
１１０    コントローラー
１１１    カードスロット
１１２    メモリーカード
１１３    操作部材
１１４    液晶モニター
１１５    十字キー
１１７    レリーズボタン
１１８    モードダイヤル
１１９    ホットシュー
１２０    光学ファインダー
１２１    タイミングジェネレーター
１２２    フラッシュ
１２３    ズームレバー
２００    デジタルスチルカメラ
【図１】
2011071570.tif 000003
【図２】
2011071570.tif 000004
【図３】
2011071570.tif 000005
【図４】
2011071570.tif 000006
【図５】
2011071570.tif 000007
【図６】
2011071570.tif 000008
【図７】
2011071570.tif 000009
【図８】
2011071570.tif 000010
【図９】
2011071570.tif 000011
【図１０】
2011071570.tif 000012
【図１１】
2011071570.tif 000013